(57)【要約】      （修正有）【課題】外形寸法の異なる大小２種の外枠の寸法差を埋めて小型の外枠を取付台の大型の装着枠に取付けられるようにした外形寸法調整装置を提供する。【解決手段】外枠２の外形寸法を拡張する側部スペーサ１５と下部スペーサ１４の各取付面に少なくとも１個の係入突起部１７を設け、他方外枠２の側枠板部２ｄと下枠板部２ｂの各外側面に係入突起１７に対応した位置にこれを係入する係合凹部１６を各形成して係合凹部１６にそれぞれ係入突起部１７を係入し、側枠板部２ｄの外側面に側部スペーサ１５を、また下枠板部２ｂの外側面に下部スペーサ１４を着脱自由に止着し、外枠２の外形寸法を拡張可能にする。一方、両スペーサ１４，１５の各取り付け面にそれぞれの係入突起部１７に対して等位置に係合凹部１８を形成し、係合凹部１８に他方の係入突起部１７を係入することによって両スペーサ１４，１５を接面状に結合し、取り纏められるようする。【選択図】図３
2006116210.tif 000002
【特許請求の範囲】
【請求項１】
外枠の外形寸法を拡張する所要板厚を有する側部スペーサと下部スペーサとからなり、該側部スペーサと下部スペーサの各取付面には少なくとも１個の係入突起部を設け、他方前記外枠の側枠板部と下枠板部の各外側面には上記係入突起に対応した位置にこれを係入する係合凹部を各形成して該係合凹部にそれぞれ前記係入突起部を係入することにより前記側枠板部の外側面に前記側部スペーサを、また下枠板部の外側面に前記下部スペーサを着脱自由に止着し、外枠の外形寸法を拡張可能にする一方、前記側部スペーサと下部スペーサの各取付面にはそれぞれの係入突起部に対して等位置に係合凹部を形成し、該係合凹部に他方の係入突起部を係入することによって上記両スペーサを接面状に結合し、取り纏められるようにしてなるパチンコ機の外形寸法調整装置。
【請求項２】
請求項１の記載において、側部スペーサは外枠の側枠板部の長さに揃え、下部スペーサは下枠板部の長さに揃えてなることを特徴としたパチンコ機の外形寸法調整装置。
【請求項３】
請求項１又は２の記載において、側部スペーサ及び下部スペーサの各取付面に突設する係入突起部は高さを各スペーサの板厚を超えない高さとすることを特徴としたパチンコ機の外形寸法調整装置。
【請求項４】
請求項１又は２の記載において、側部スペーサと下部スペーサは衝き合せになる端部同士をヒンジ部で連結し、該ヒンジ部を介して折りたゝめることを特徴としたパチンコ機の外形寸法調整装置。
【請求項５】
請求項１，２，３，４の記載において、側部スペーサ及び下部スペーサは所要剛性を有した弾性素材により成形することを特徴としたパチンコ機の外形寸法調整装置。
【発明の詳細な説明】
【技術分野】
【０００１】
本発明は、パチンコ機の外形寸法を調整し、設置場所に対応させて取付けの外観を損うことなく安定的に装着設置できるようにしたパチンコ機の外形寸法調整装置に関する。
【背景技術】
【０００２】
パチンコ機の外形寸法は関東を中心とした地域と、関西を中心とした地域で異なり、所謂関東枠と称される小さい寸法のものと、関西枠と称される大きい寸法のものとがある。  この異なる２つの枠は実質的には前枠を収める外枠の外形寸法の違いであり、その大小の差は高さと横の幅においてそれぞれ１０ｍｍ前後の違いがある。
この違いは、遊技場の取付台、つまり「島」の装着枠の寸法の違いに一致したものであり、地域によって異なる装着枠に整合させるための大小の差であることから、遊技機のみを単純に一方の大きさに揃えられないものとなっている。
【０００３】
この様なことから、関東枠を使用する地域と関西枠を使用する地域からの注文に応ずるべく寸法を異にした２種類のパチンコ機を製造し販売することとなっているが、実際には関西枠を使用する地域に関東枠を持込むことがあり、この場合は島の装着枠とパチンコ機の外枠との間にできる空隙を埋めるためスペーサを介挿し、島の外観が損われるのを防いでおり、また安定した取付けが行われるようにしている。
このスペーサを使用して寸法差から生ずる空隙を埋める方法としては、例えば、特許文献１及び２に記載される方法等が知られている。
【特許文献１】実公平４−３３９００号公報。
【特許文献２】特開２０００−８４２０８号公報。
【０００４】
前記特許文献１に記載されるパチンコ機用枠体、つまりスペーサは基枠６の上辺７にスペーサ９を、左辺８にスペーサ１０をそれぞれ添わせ、これらを貫通する孔１２，１３にボルト２２を通し、ナット２１によって緊締することにより一体に取付け、小型に形成される関東枠の外形寸法を増し、関西枠に対応できるようにしたものであり、また、特許文献２に記載のパチンコ機の外枠構造は、外枠２の下枠３と側枠５の各外周面に長手方向に沿って係合溝４，６を形成し、一方、スペーサ１０，２０には長手方向に沿って突条部１２，２２を各形成して、この突条部１２，２２を前記係合溝４，６にそれぞれ嵌め付けることで下枠３と側枠５の外周面に上記スペーサ１０，２０を装着できるようにしたもので、これにより外枠２の外形寸法を拡大できるようにしてある。
【０００５】
しかし、前記前者のパチンコ機用枠体は、予め上辺７と左辺８及びスペーサ９と１０の双方に貫通する孔１２，１３を開設することに加え、これらスペーサ９，１０を止め付けるボルト２２及びナット２１を備える必要があり、同時にその取付けに当ってはボルトとナットの緊締作業を要するものとなっている。
そして、この提案ではボルトとナットによる締付けが求められる外に、このボルトとナットはスペーサとも、また上、側辺７，８とも別体のものとなっていることから、使用しない場合は個別に管理する必要があり、またスペーサ相互も別体であることから保管管理の上でセットを保つために相当な注意を要するものとなる。
【０００６】
また、後者特許文献２に記載の外枠構造は、下枠３並びに側枠５に蟻溝形の係合溝４，６を形成することと、スペーサ１０，２０に上記係合溝に嵌め込む倒台形状断面の突条部１２，２２を形成する必要があり、これらは下枠と側枠、スペーサ１０と２０の各長さの全長に亘って形成することから、両者の嵌め合せを円滑にするためには相当の精度を以て製造しなければならず、製造上相当な制約を受ける欠点がある。しかも、この場合も前記特許文献１のものと同様にスペーサを使用しない場合は、第１，第２のスペーサをセットとして保管して置くのが厄介であり、管理上の問題がある。
【発明の開示】
【発明が解決しようとする課題】
【０００７】
本発明は、上記従来の問題に鑑み、関東枠として小型に形成されるパチンコ機の外枠の外形寸法を拡張するため準備されるスペーサの外枠に対する取付けを容易にし、且つ同時に、不使用時におけるスペーサの取り纏めを容易にして１つの外枠に対するスペーサをセットとして保管できるようにして従来の管理上の問題を改善したことにある。
【０００８】
外枠に対するスペーサの取付けは、前記従来の例によれば、ボルトとナットによる場合のように別体である止め具による場合と、外枠とスペーサに形成する係合溝と突条部の嵌め合せによる場合とがあるが、いずれの場合もスペーサを使用しない場合はこのスペーサを別に保管する必要がある。しかも、スペーサは外枠の縦横の長さに合せて異なる２種類のものがセットとして準備される必要があることから、保管においても組の状態で管理されることが望まれるが、従来これについては全く対策が取られていない。
本発明はこの様な状況を考慮して、使用しないスペーサをセットとして保管し、使用する際には直ちに対応できるようにしたことにある。
【課題を解決するための手段】
【０００９】
従って、本発明は上述の目的に基づき改善提案されるもので、その要旨とするところは、外枠の外形寸法を拡張する所要板厚を有する側部スペーサと下部スペーサとを有し、該側部スペーサと下部スペーサの各取付面には少なくとも１個の係入突起部を設け、他方前記外枠の側枠板部と下枠板部の各外側面には上記係入突起に対応した位置にこれを係入する係合凹部を各形成して該係合凹部にそれぞれ前記係入突起部を係入することにより前記側枠板部の外側面に前記側部スペーサを、また下枠板部の外側面に前記下部スペーサを着脱自由に止着し、外枠の外形寸法を拡張可能にすること、そして前記側部スペーサと下部スペーサの各取付面にはそれぞれの係入突起部に対して等位置に係合凹部を形成し、該係合凹部に他方の係入突起部を係入することによって上記両スペーサを接面状に結合し、取り纏められるようにしてなるパチンコ機の外形寸法調整装置を提供することにある。
【００１０】
また本発明は、上記パチンコ機の外形寸法調整装置において、前記側部スペーサは外枠の側枠板部の長さに揃え、下部スペーサは下枠板部の長さに揃えてなることを特徴としたパチンコ機の外形寸法調整装置を提供することにある。
【００１１】
また本発明は、前記側部スペーサ及び下部スペーサの各取付面に突設する係入突起部は高さを各スペーサの板厚を超えない高さとすることを特徴としたパチンコ機の外形寸法調整装置を提供することにある。
【００１２】
また本発明は、前記側部スペーサと下部スペーサは衝き合せになる端部同士をヒンジ部で連結し、該ヒンジ部を介して折りたゝめることを特徴としたパチンコ機の外形寸法調整装置を提供することにある。
【００１３】
更にまた本発明は、前記側部スペーサ及び下部スペーサは所要剛性を有した弾性素材により成形することを特徴としたパチンコ機の外形寸法調整装置を提供することにある。
【００１４】
ところで、本発明における前記外枠は、言うまでもなく関東枠の外形寸法に等しく、従って側部スペーサは外枠の横幅において関西枠との差を埋める板厚を有するものとし、また下部スペーサは縦幅、つまり高さにおける差を埋める板厚のものとすることになる。
そして、これらのスペーサは外枠に装着し外形寸法を拡張させたとき、それぞれ取付く枠板部と一体をなして外観を損ねないように各枠板部に対して長さを揃えることとし、これにより同時に島（取付台）の装着枠に装着したとき両者間の空隙を埋め、島との一体化も図るものとする。
【００１５】
尚、側部スペーサ及び下部スペーサの板幅については、好ましくはその対応する外枠の側枠板部、下枠板部の板幅に揃えることが望まれるが、安定した状態での装着が得られる範囲でこの板厚を選択することが自由とされる。
【００１６】
上記側部スペーサ及び下部スペーサの取付面に設けられる係入突起部は、それぞれのスペーサを外枠に止着するための手段であると同時に、本発明においてはスペーサ同士を結合し、保管において一体のものとして取扱うための連結手段となるものであって、各スペーサに設けられる係入突起部は同一の形状に形成されることになる。
また、この係入突起部に併せてそれぞれのスペーサと外枠の側枠板部及び下枠板部にそれぞれ形成される係合凹部は、係入突起部との一体的な嵌め合せを実現するため、その内部の形状をこの係入突起部に合せることになる。
【００１７】
更にこの係入突起部について詳述すると、この係入突起部は１個である外、複数個としてもよい。たゞ各スペーサを外枠に装着する際、この係入突起部を係合凹部に嵌め付けることで装着を果すものとなるため、その数に合せた係合凹部を外枠の各枠板部に形成することが必要であり、またスペーサ同士を結合させる場合も同様のことになるため、１乃至２個と言った少数個の形成が適当である。
【００１８】
また、上記係入突起部は側部スペーサと下部スペーサを結合させる際、一方の係入突起部を他方の係合凹部に嵌め入れ結合する関係におくことから、両スペーサに形成する係入突起部と係合凹部とは共に等しい間隔を置いて形成することになる。
これによって、スペーサ同士を引き揃えて一方の係止突起部を他方の係合凹部に嵌め入れると、取付面同士が接面した状態で結合することになり、一つに纏まることになる。
【００１９】
尚、側部スペーサについては、下部スペーサと一端部を揃えて重ね合せたとき、両者の長さの違いから突き出る他端側に単独の係入突起部を設けてこの係入突起部に対応させて外枠の側枠板部に形成する係合凹部に嵌め付けるようにすると、外枠に対する安定した装着が得られることになる。この様にした場合には、下部スペーサとの結合に際しては長さの違いから下部スペーサに衝突することはないので両者の結合の障害となることはない。
【００２０】
ところで、係合凹部は窪みとして穴状に形成しても、またスペーサ及び外枠の枠板部を貫く貫通孔として形成してもよい。この係合凹部に嵌入する係入突起部は、好ましくはスペーサの板厚を超えない長さのもの、つまりスペーサ同士を接面状に結合したとき、係合凹部を貫いて反対側に突き出ない長さのものが保管等取扱いの上から望まれることになる。
【００２１】
また、両スペーサは天然の、或は合板からなる木板、若しくはプラスチック製の板、更にはアルミ等の金属製の板を材料に成形してもよい。中でも、ポリエチレン等弾性を有する合成樹脂製の板を材料とした場合には、成形性の面から、また軽量であることによる取扱い易さの面から、更には空隙を塞ぐ上での適合性の面から更に有利なものとなる。
ことに、この側部並びに下部のスペーサは空隙を埋めるものであり、しかも取付台の製造上の誤差を含む空隙を埋めるものであることから弾力性があり、多少の変形が可能であって上記誤差を吸収することができる弾性素材は最も効果的なものとなる。
【００２２】
そして、ポリエチレン等の合成樹脂を材料に各スペーサを製造する場合には、成形型を使って取付面側に係入突起部と、係合凹部を一体に形成することが可能であり、しかもこれらを高い精度で成形することができるため良質のものを量産的に製造することができることになる。
【００２３】
また、この合成樹脂を材料とした場合には側部スペーサと下部スペーサの一方の端部同士を肉薄のヒンジ片で連続させた状態にして一体に形成することが可能であり、不使用時にはこのヒンジ片を支点にして両スペーサを２つに折り重ね、係入突起部を係合凹部に嵌め付けることで安定した収納状態を保つことができ、また使用に当っては上記ヒンジ片で連結したまゝ両スペーサを９０度に開き、そのまゝ外枠の側枠板部と下枠板部に添わせてそれぞれの係入突起部を外枠の係合凹部に嵌め付けることで、しっかりした取付けを実現させることができることにもなり有利である。
【００２４】
上記ヒンジ片は、スペーサの材料を合成樹脂以外の、例えば木板によって成形する場合は、別の蝶番をヒンジ手段として使用することになる。この場合、スペーサに対して蝶番を止め付ける作業を要することになるが、係入突起部を係合凹部に嵌め付けて抱き合せに収納する場合にしっかり抱き合せておくことができ、また外枠に対する装着時に両スペーサの連結によって安定した取付けができることから有利に実施できることになる。
【発明の効果】
【００２５】
本発明装置は、上述の如く構成に係るもので、関東枠を基準にして小型に形成される外枠に対し、その側枠板部の外側面に側部スペーサを添わせ、下枠板部の外側面に下部スペーサを添わせることで、この外枠の外形寸法を関西枠に準じた寸法に拡張変換することができると共に、この変換作業に当って、上記スペーサはその取付面に突設する係入突起部を側枠板部と下枠板部に各形成する係合凹部に嵌め入れることで止着することができるため極めて簡単に装着することができる。
【００２６】
そして、スペーサを要しない場合は、対をなす側部スペーサと下部スペーサの係入突起部を他方の係合凹部に嵌め付けることで両者を抱き合せに結合させ、セットの状態で保管することができるため、一方を失うことがなく、管理の面で極めて有利である。
【発明を実施するための最良の形態】
【００２７】
次に、本発明を添付する図面に基づき詳述すると、図面は本発明に係るパチンコ機の外形寸法調整装置を示す一実施例を示したもので、図１は使用状態を示す斜視図、図２はパチンコ機の外枠に対するスペーサの装着状態を説明する正面図、図３は外枠に対するスペーサの装着前における状態を説明のための斜視図であり、図４はスペーサ同士を抱き合せ状態に結合させ格納状態にした正面図である。
図示するようにパチンコ機１は、その外形を形成する外枠２と、この外枠２の一側縁にヒンジ３，４を介して開閉自由に蝶着される前枠５を主要な構成体として組立られ、この内前枠５にはパチンコ機１の略全部の装置類が組込まれ、この前枠５を外枠２が支えるものとなっている。
【００２８】
上記前枠５は、図示するように前面側にガラス枠６と、上皿枠７、下皿枠８をそれぞれ開閉自由に一側縁を蝶着して備え、枠の背面側には図示しない機構枠を備え、この機構枠の前面部に遊技盤を保持して前記ガラス枠６に嵌め込むガラス９を透してその前面、即ち遊技盤面が覗けるようにしてある。
【００２９】
上記上皿枠７は、放出される賞球を受け取り、この賞球を打球として図示しない発射装置に送り込む上皿１０を備え、下皿枠８は上記上皿１０から抜取った球を受け取る下皿１１と、打球発射装置のハンドル１２、灰皿１３等が設けられている。
【００３０】
この様な前枠５に対し、外枠２はこの前枠５を遊技場の取付台に設ける装着枠（図示せず）に取付けるための取付台座の役割をもつものであって、広く知られるように、上下の枠板部２ａ，２ｂと、左右両側の枠板部２ｃ，２ｄによって縦長の矩形の枠に形成されている。
上記上下及び左右の枠板部は、所要の板厚を有する板材を材料として形成されるが、ここでは木板を利用している。勿論、この材料として合成樹脂のものであっても、また金属製の板材であってもよいことは言うまでもない。
【００３１】
上記構成される外枠２は、前述した所謂関東枠と称される小型の枠の寸法に基き成形されており、下枠板部２ｂと右方の側枠板部２ｄの各外側面にはこれらに添わせる下部スペーサ１４と側部スペーサ１５を装着するための係合凹部１６が穿たれる。
【００３２】
そして、上記下部スペーサ１４及び側部スペーサ１５は、大型に形成される前記した所謂関西枠の外形寸法との差を埋めるために外枠の上下幅の寸法差と左右幅の寸法差を埋める板厚を有する板材をもって成形してある。また、これらのスペーサ、つまり下部スペーサ１４は前記下枠板部２ｂの幅と長さに合せ、また側部スペーサ１５は側枠板部２ｄの幅と長さに合せて成形してある。
【００３３】
図中１７は、上記下部スペーサ１４と側部スペーサ１５の各取付面に立設した係入突起部である。
この突起部１７は前記下枠板部２ｂと側枠板部２ｄにそれぞれ穿つ係合凹部１６に係入して下部スペーサ１４と側部スペーサ１５をそれぞれの外側面に止着するための係止手段であって、下部スペーサ１４の係入突起部１７は下枠板部２ｂの左端側に設けられる係合凹部１６に合せて左端側の取付面（図面において上面）に立設してある。
【００３４】
一方、側部スペーサ１５における係入突起部１７は側枠板部２ｄの外側面に上下２箇所に穿つ係合凹部１６に合せて取付面の上下に２個立設してある。
上記両スペーサ１４，１５に立設されるそれぞれの係入突起部１７は、円形の貫通孔として穿たれる係合凹部１６に対して、ぴったり嵌り付く大きさの円柱状に形成し、係入時には両者の摩擦抵抗によって容易に抜け出ないようにしてあり、各スペーサの止着状態を確保できるようにしてある。
【００３５】
尚、本実施例における下部スペーサ１４と側部スペーサ１５は、所要の剛性と弾性を有する合成樹脂材料、ここではポリエチレンを素材にして形成してあり、スペーサ本体部と共に前記係入突起部１７を一体に形成してこの係入突起部にも弾性を付与し、前記係合凹部１６に係入する際、無理に押入れることを可能にしてあり、また引き抜くことができるようにしてある。
【００３６】
図中の符号１８は、前記下部スペーサ１４と側部スペーサ１５の取付面に形成した係合凹部である。
この係合凹部１８は前記外枠の下枠板部２ｂと側枠板部２ｄに設けた係合凹部１６と同一のものであり、スペーサを取付面側から貫き通する円形の貫通孔として形成してある。
そして、下部スペーサ２ｂに形成される係合凹部１８は右端側に設け、側部スペーサ２ｄに形成される係合凹部１８は略中央部に設けてある。
【００３７】
この各スペーサに形成される係合凹部１８は、他方のスペーサに立設する係入突起部１７を互いに受け入れて係合し、スペーサ同士を連結するためのものであり、この実施例では両スペーサ１４，１５が直角に衝き合う一方の端部を基点にして側部スペーサ２ｄの下方の係入突起部１７と等位置に下部スペーサ２ｂの係合凹部１８を、そしてこの下部スペーサ２ｂに立設する係入突起部１７と等位置に側部スペーサ２ｄの係合凹部１８をそれぞれ設けるようにしてあり、上記一方の端部を揃えて両スペーサ１４，１５の取付面を向き合せにして、一方の係入突起部１７を他方の係合凹部１８に嵌め付けることで両スペーサを接面した状態に結合できるようにしてある。
【００３８】
図４は、このスペーサ同士を結合させた状態を示している。長く形成した側部スペーサ１５の上端部は下部スペーサ１４から突き出し、該部分に設けられる係入突起部１７を下部スペーサ１４の延長線上の空間１９に収めることができるようにしてある。
尚、この結合した状態は、スペーサの不使用状態を示すものであり、保管管理する場合、或は運搬する場合はこの結合したまゝの状態で行われることになる。
【００３９】
本発明の外形寸法調整装置は、上述の如く構成されるもので、関東枠として使用される場合は、そのまゝの状態で取付台の装着枠内に収められる。一方、関西枠として使用される場合は装着する前に下部及び側部のスペーサ１４，１５を外枠２に装着し、その外形寸法をスペーサの板厚によって増加し、取付台の装着枠との間にできる空隙を塞ぐようにすることになる。
上記スペーサ１４，１５の装着作業は、前述したように各スペーサの取付面に立設する係入突起部１７を、下枠板部２ｂの外側面（下面）と側枠板部２ｄの外側面（右側面）にそれぞれ形成する係合凹部１６に突き入れることによって行われる。
【００４０】
上記係入突起部１７の係入は、係合凹部１６との関係できつく嵌り合う場合と、緩く嵌り付く場合とがあるが、安定した係止状態を得るためには突起部１７の外径を係合凹部１６の穴径に揃えてやゝきつめの状態で係入するようにするとよい。ことに弾性を有した素材で本実施例の如く係入突起部１７を形成する場合は、外径をやゝ大径にして縮径した状態で嵌り付くようにするとよい。
【００４１】
上記係入突起部１７の係入によって外枠に取付けられる下部並びに側部のスペーサ１４，１５は、この係入作業によって取付くことになり、取付台の装着枠にそのまゝ持ち込まれ、通常の関西枠と同様にして固定される。そして、関西枠用の取付台に設置されて外枠２と装着枠との間に出来る空隙を埋め、外観を損ねることなく、しかも安定した状態で設置されることになる。
【００４２】
尚、図５は下部スペーサ１４と側部スペーサ１５の端部同士をその成形時に肉薄片で連設し、この肉薄片をヒンジ部２０として折りたゝめるようにした場合を示したもので、このヒンジ部２０による連結によって両スペーサは一体化し、常にセットとして取り扱われることになる。
勿論、この場合においても折りたゝんだ２つのスペーサ１４，１５は互いに係入突起部１７を相手係合凹部１８に突き入れ係入することで接面した状態に保たれることになる。
【００４３】
ところで、下部スペーサ１４を外枠の下枠板部２ｂの長さに、また側部スペーサ１５を側枠板部２ｄの長さに一致させたとき、これを外枠に装着すると外枠のコーナー部分においてスペーサの板厚分の隙間が出来ることになるので、この場合を想定して一方のスペーサをこの板厚分に相当する長さについて長くするか、若しくは図３に示したように衝き合せ端部の隅空部に埋め材２１を挿入し、これを埋めるようにするとよい。
【００４４】
この様にしてなる本発明装置は、外枠に対する装着が容易であると共に、不使用時には上記装着のために使用する係入突起部１７を利用して下部及び側部の両スペーサ１４，１５を抱き合せに結合し、常にセットとして保管できるので一方のスペーサを失って使用不能になることもなく極めて管理上有利となる。
【００４５】
ところで、上記実施の形態では下部スペーサ１４を下枠板部２ｂに、側部スペーサ１５を側枠板部２ｄに装着する例に基き説明したが、上記下部スペーサ１４を上枠板部２ａに添わせ、この上枠板部２ａに設ける係合凹部１６に下部スペーサ１４（この場合、このスペーサは上部スペーサとなる。）の係入突起部１７を嵌め合わせるようにして装着し、或は、前記右の側枠板部２ｄに代えて左の側枠板部２ｃに係合凹部１６を設けてこれに側部スペーサ１５の係入突起部１７を係入し添わせるようにして、各スペーサの取付位置を変えることによってパチンコ機の外枠と装着枠との間にできる空隙を埋めるようにしてもよく、これらの選択は本発明を実施する範囲の選択であり、設計者において任意選択されるところである。
【図面の簡単な説明】
【００４６】
【図１】使用状態を説明する斜視図。
【図２】外枠とスペーサの装着関係を説明する要部の分解斜視図。
【図３】外枠に対しスペーサを装着した状態を説明する要部の正面図。
【図４】下部スペーサと側部スペーサの結合状態を説明する拡大正面図。
【図５】下部スペーサと側部スペーサの連結を示す部分拡大正面図である。
【符号の説明】
【００４７】
１        パチンコ機
２        外枠
２ｂ      外枠の下枠板部
２ｄ      外枠の側枠板部
５        前枠
１４      下部スペーサ
１５      側部スペーサ
１６      係合凹部
１７      係入突起部
１８      係合凹部
２０      ヒンジ部であるヒンジ片
【図１】
2006116210.tif 000003
【図２】
2006116210.tif 000004
【図３】
2006116210.tif 000005
【図４】
2006116210.tif 000006
【図５】
2006116210.tif 000007